(57)【要約】【課題】本発明は、表示部が非ボール抽選時にボール搬送手段によって遮られることなく、インパクトのある大画面を表示できるメダルゲーム機を提供する。【解決手段】本発明のメダルゲーム機１は、プッシャ台４の後方に立設される表示部５と、表示部５の手前に設けられ、その底部にボールが貫通可能な貫通孔６１が形成されるボール抽選部６と、表示部５の下方に設けられるボール収納部７と、貫通孔６１から落下したボールをボール収納部７に搬送する第１ボール搬送手段１１とを備え、第１ボール搬送手段１１は、表示部５よりも一方側に設けられ、表示部５の延在方向に略直交する方向に沿って延在する回転軸１１２ｂを有する回転用モータ１１２と、一端部１１３ａが回転軸１１２ｂにヒンジ接合されるとともに、他端部１１３ｂが収納位置と抽選位置との間に回転可能に設けられる回転アーム部１１３とを有する。【選択図】図３
2019176918.tif 000002
【特許請求の範囲】
【請求項１】
メダルをプッシャテーブルが設けられるプッシャ台に投入することによって、前記プッシャ台に配置されるメダル又はボールを落下口に落下させるように移動させるメダルゲーム機であって、
前記プッシャ台の後方に立設され、プレイ進行に応じた演出を表示させる表示部と、
前記表示部の手前に設けられ、その底部にボールが貫通可能な貫通孔が形成されるボール抽選部と、
前記表示部の下方に設けられるボール収納部と、
前記ボール抽選部の前記貫通孔から落下したボールを前記ボール収納部に搬送する第１ボール搬送手段とを備え、
前記第１ボール搬送手段は、
前記表示部よりも一方側に設けられ、前記表示部の延在方向に略直交する方向に沿って延在する回転軸を有する回転用モータと、
一端部が前記回転軸にヒンジ接合されるとともに、他端部が前記表示部と干渉しない収納位置と前記貫通孔の直下に位置する抽選位置との間に回転可能に設けられる回転アーム部とを有する
ことを特徴とするメダルゲーム機。
【請求項２】
前記落下口に落下したボールを前記ボール抽選部に搬送する第２ボール搬送手段を備える
ことを特徴とする請求項１に記載のメダルゲーム機。
【請求項３】
前記回転アーム部の他端部が、ボール抽選時に前記抽選位置に回転され、非ボール抽選時に収納位置に回転される
ことを特徴とする請求項１又は２に記載のメダルゲーム機。
【請求項４】
前記回転アーム部は、
他端部が前記収納位置に回転されるとき、略鉛直方向に沿って延在するように設けられ、
他端部が前記抽選位置に回転されるとき、略鉛直方向に直交する略水平方向に沿って延在するように設けられる
ことを特徴とする請求項１から３までのいずれか１項に記載のメダルゲーム機。
【請求項５】
前記第１ボール搬送手段は、
前記表示部よりも一方側に設けられるベース部と、
軸線方向に沿って収縮可能なシリンダからなり、前記シリンダの筒部が前記回転アーム部の一端部にヒンジ接合されるとともに前記シリンダのピストン部が前記ベース部にヒンジ接合される回転サポート部とを有する
ことを特徴とする請求項１から４までのいずれか１項に記載のメダルゲーム機。
【請求項６】
前記回転サポート部は、前記回転アーム部と前記ベース部との間に設けられ、
前記回転アーム部の他端部が収納位置に回転されるとき、前記回転サポート部が、正面視において、前記回転アーム部と重なるように設けられる
ことを特徴とする請求項５に記載のメダルゲーム機。
【請求項７】
前記回転サポート部は、
前記回転アーム部の他端部が収納位置に回転されるとき、軸線方向における寸法が最も小さく、
前記回転アーム部の他端部が抽選位置に回転されるとき、軸線方向における寸法が最も大きく形成される
ことを特徴とする請求項５又は６に記載のメダルゲーム機。
【発明の詳細な説明】
【技術分野】
【０００１】
本発明は、メダルゲーム機に関する。
【背景技術】
【０００２】
従来、例えば、メダルをプッシャテーブルが設けられるプッシャ台に投入することによって、プッシャ台に配置されるメダル又はボールを落下口に落下させるように移動させるものであって、プッシャ台の後方に立設される表示部と、プッシャ台の側に設けられボールの抽選を行うボール抽選部と、落下口に落下したボールをボール抽選部へ搬送するボール搬送手段とを備えるメダルゲーム機が開示されている（下記の特許文献１参照）。
【先行技術文献】
【特許文献】
【０００３】
【特許文献１】特開２０１２−５０７５２号公報
【発明の概要】
【発明が解決しようとする課題】
【０００４】
しかしながら、特許文献１に記載されたメダルゲーム機では、ボール搬送手段の一部（ボールを搬送するためのレール）が表示部を横切るように設置されているため、非ボール抽選時にも関わらず、表示部に表示されるスロット抽選やプレイ進行に応じた演出が、レールの存在によって損なわれてしまうという不具合があった。
【０００５】
そこで、本発明は、上記のような不具合に鑑みてなされたものであり、表示部が非ボール抽選時にボール搬送手段によって遮られることなく、インパクトのある大画面を表示できるメダルゲーム機を提供することを目的とする。
【課題を解決するための手段】
【０００６】
（１）上記課題を解決するために、本発明に係るメダルゲーム機は、メダルをプッシャテーブルが設けられるプッシャ台に投入することによって、前記プッシャ台に配置されるメダル又はボールを落下口に落下させるように移動させるものであって、前記プッシャ台の後方に立設され、プレイ進行に応じた演出を表示させる表示部と、前記表示部の手前に設けられ、その底部にボールが貫通可能な貫通孔が形成されるボール抽選部と、前記表示部の下方に設けられるボール収納部と、前記ボール抽選部の前記貫通孔から落下したボールを前記ボール収納部に搬送する第１ボール搬送手段とを備え、前記第１ボール搬送手段は、前記表示部よりも一方側に設けられ、前記表示部の延在方向に略直交する方向に沿って延在する回転軸を有する回転用モータと、一端部が前記回転軸にヒンジ接合されるとともに、他端部が前記表示部と干渉しない収納位置と前記貫通孔の直下に位置する抽選位置との間に回転可能に設けられる回転アーム部とを有することを特徴とする。
【０００７】
（２）上記構成（１）において、前記落下口に落下したボールを前記ボール抽選部に搬送する第２ボール搬送手段を備えてもよい。
【０００８】
（３）上記構成（１）又は（２）において、前記回転アーム部の他端部が、ボール抽選時に前記抽選位置に回転され、非ボール抽選時に収納位置に回転されてもよい。
【０００９】
（４）上記構成（１）から（３）までのいずれか１つにおいて、前記回転アーム部は、
他端部が前記収納位置に回転されるとき、略鉛直方向に沿って延在するように設けられ、
他端部が前記抽選位置に回転されるとき、略鉛直方向に直交する略水平方向に沿って延在するように設けられてもよい。
【００１０】
（５）上記構成（１）から（４）までのいずれか１つにおいて、前記第１ボール搬送手段は、前記表示部よりも一方側に設けられるベース部と、軸線方向に沿って収縮可能なシリンダからなり、前記シリンダの筒部が前記回転アーム部の一端部にヒンジ接合されるとともに前記シリンダのピストン部が前記ベース部にヒンジ接合される回転サポート部とを有してもよい。
【００１１】
（６）上記構成（５）において、前記回転サポート部は、前記回転アーム部と前記ベース部との間に設けられ、前記回転アーム部の他端部が収納位置に回転されるとき、前記回転サポート部が、正面視において、前記回転アーム部と重なるように設けられてもよい。
【００１２】
（７）上記構成（５）又は（６）において、前記回転サポート部は、前記回転アーム部の他端部が収納位置に回転されるとき、軸線方向における寸法が最も小さく、前記回転アーム部の他端部が抽選位置に回転されるとき、軸線方向における寸法が最も大きく形成されてもよい。
【発明の効果】
【００１３】
本発明によれば、表示部が非ボール抽選時にボール搬送手段によって遮られることなく、インパクトのある大画面を表示できるメダルゲーム機を提供することができる。
【図面の簡単な説明】
【００１４】
【図１】本実施形態に係るメダルゲーム機を示す斜視図である。
【図２】本実施形態に係るメダルゲーム機を示す概略正面図である。
【図３】第１ボール搬送手段を示す斜視図、（ａ）回転アーム部の他端部が収納位置に回転されるときの状態であり、（ｂ）回転アーム部の他端部が抽選位置に回転されるときの状態である。
【図４】第１ボール搬送手段を示す正面図、（ａ）回転アーム部の他端部が収納位置に回転されるときの状態であり、（ｂ）回転アーム部の他端部が抽選位置に回転されるときの状態である。
【図５】第１ボール搬送手段を示す側面図、（ａ）回転アーム部の他端部が収納位置に回転されるときの状態であり、（ｂ）回転アーム部の他端部が抽選位置に回転されるときの状態である。
【図６】並列された複数台のメダルゲーム機からなるメダルゲーム機ユニットを示す斜視図である。
【発明を実施するための形態】
【００１５】
以下、本発明を実施するための形態（以下、実施形態という）について、図面を参照して詳細に説明する。本明細書の実施形態においては、全体を通じて、同一の部材には同一の符号を付している。なお、図中においては、Ｘ軸に沿って延在する方向を前後方向とし、Ｘ軸と直交するＹ軸に沿って延在する方向を左右方向とし、Ｘ軸及びＹ軸の両方と直交するＺ軸に沿って延在する方向を上下方向とする。
【００１６】
（メダルゲーム機の全体構造）
まず、本実施形態に係るメダルゲーム機１の全体構造について、図１及び図２を参照して詳細に説明する。
図１は、本実施形態に係るメダルゲーム機１を示す斜視図である。図２は、本実施形態に係るメダルゲーム機１を示す概略正面図であり、正面に取り付けられるウィンドウ３及びケース２の正面カバーを省略している。
【００１７】
図１及び図２に示すように、本実施形態に係るメダルゲーム機１は、ケース２、ウィンドウ３、プッシャ台４、表示部５、ボール抽選部６、ボール収納部７、ボール振分装置８、落下口９、第２ボール搬送手段１０、第１ボール搬送手段１１、一対のメダル投入部１２、メダル払出口１３、及び複数の車輪１４を備えている。
【００１８】
ケース２は、メダルゲーム機１の筐体であり、その手前側に設けられ操作子を有する操作パネル２１を備えている。
【００１９】
ウィンドウ３は、メダルゲーム機１の内部とメダルゲーム機１の外部とを仕切るためのものであり、外部から内部を視認できるように、透明な樹脂材料などによって形成されている。
【００２０】
プッシャ台４は、メダルを投入することによって、プッシャ台４に配置されるメダル又はボールを落下口９に落下させるように移動させるためのものであり、略水平方向に沿って延在する固定テーブル４１と、固定テーブル４１の上面に前後方向に沿って往復移動できるように設けられるプッシャテーブル４２とを備えている。
【００２１】
また、プッシャテーブル４２は、略水平方向に沿って延在するように形成されメダルやボールを載置する載置面４２１と、載置面４２１よりも前方に設けられ前方に向かうにつれて下方へ傾斜する傾斜面４２２とを有している。この傾斜面４２２には、左右方向に沿って所定の間隔を空けるように複数（例えば、３つ）のチャッカ４２３が設けられている。なお、チャッカ４２３は、ボールが落下することなく、メダルのみが落下できるように形成されている。
【００２２】
表示部５は、略鉛直方向（略上下方向）に沿ってプッシャ台４の後方に立設され、プレイ進行に応じた演出（例えば、フィッシュバトルなどを含む）やボール抽選時における抽選用の回転可能なルーレットの画像を表示させるためのものであり、例えば、液晶表示装置などのモニタからなっている。また、表示部５は、ウィンドウ３に対し大きく形成されることによって、ユーザにインパクトのある大画面を表示させることができる。
【００２３】
ボール抽選部６は、表示部５の上方位置であってその手前（前方）に設けられ、ボール抽選を行うためのものである。また、ボール抽選部６は、正面視において、略Ｖ字型のボールスロープからなり、その底部に、表示部５の左右方向における中央に位置するように、ボールが貫通可能な貫通孔６１が形成されている。なお、ボール抽選時に、表示部５のボール抽選部６よりもやや下方である位置には、ルーレットの画像が表示されることになっている。さらに、貫通孔６１内には、抽選タイミングを決定するためのボール落下検出センサ（図示しない）が設けられている。
【００２４】
ボール収納部７は、表示部５の左右方向における中央よりも一方側（右側）に位置するように、表示部５の下方に設けられ、抽選後のボールを収納するためのものである。また、ボール収納部７は、前後方向に沿ってプッシャ台４及び表示部５の間に設けられ、ボールをボール振分装置８へ搬出する搬出機能を有している。
【００２５】
ボール振分装置８は、ボール収納部７から搬出されたボールをプッシャ台４へ搬送するためのものであり、ボールをプッシャ台４へガイドして排出するガイド部８１と、ボールの排出を検出するためのボール排出検出部８２とを備えている。なお、ボールがボール排出検出部８２を通過する際に、ボール排出検出部８２は、当該ボールに内蔵されたＲＦＩＤによって、排出したボールの種類を識別することができる。
【００２６】
ガイド部８１は、ガイド溝８１１及びガイドレール８１２を有しており、ガイド溝８１１及びガイドレール８１２の間にボール排出検出部８２が配置されている。ガイド溝８１１は、略左右方向に沿って延在するとともに、その一端がボール収納部７に接続され、その他端がガイドレール８１２に接続されている。一方、ガイドレール８１２は、略前後方向に沿って延在するとともに、その一端がガイド溝８１１の他端に接続され、その他端が、ボールが落下できるように形成されている。また、ガイド溝８１１及びガイドレール８１２は、共に一端から他端に向かうにつれて下方へ傾斜するようになっている。
【００２７】
落下口９は、プッシャ台４よりも前方に形成され、プッシャ台４から落下したボールを第２ボール搬送手段１０へガイドするとともに、プッシャ台４から落下したメダルを回収するためのものである。
【００２８】
第２ボール搬送手段１０は、プッシャ台４の固定テーブル４１から落下口９に落下したボールをボール抽選部６に搬送するためのものであり、上流側から下流側へ向かって順にボールリターンカバー１０１、ボールリターンレール１０２、ボールリフター１０３、及びボール搬送レール１０４を備えている。
【００２９】
ボールリターンカバー１０１は、ボールをボールリターンレール１０２にガイドするためのものである。ボールリターンレール１０２は、ボールをボールリフター１０３にガイドするためのものであり、その一端がボールリターンカバー１０１に接続されるとともに、その他端がボールリフター１０３に接続されている。また、ボールリターンレール１０２は、一端から他端に向かうにつれて下方へ傾斜するようになっている。ボールリターンカバー１０１及びボールリターンレール１０２は、視認できないようにプッシャ台４の下方に取り付けられている。
【００３０】
なお、ボールリターンレール１０２には、ボールの獲得を検出するためのボール獲得検出部１０５が設けられている。ボールがボール獲得検出部１０５を通過する際に、ボール獲得検出部１０５は、当該ボールに内蔵されたＲＦＩＤによって、獲得したボールの種類を識別することができる。
【００３１】
ボールリフター１０３は、ケース２の一隅（図１の前方左側）に略鉛直方向に沿って延在するように設けられ、ボールリターンレール１０２によってガイドされたボールを上昇して移動するためのものである。また、ボールリフター１０３は、上昇レール１０６、螺旋回転軸１０７、及び上昇駆動モータ１０８を備えている。
【００３２】
上昇レール１０６は、略鉛直方向に沿って延在するように配置され、ボールを略鉛直方向にガイドするためのものである。螺旋回転軸１０７は、上昇レール１０６と平行になるように設けられ螺旋回転軸１０７の回転軸となる軸体１０７ａと、軸体１０７ａの外周に形成された螺旋状の螺旋部１０７ｂとを有している。上昇駆動モータ１０８は、螺旋回転軸１０７を回転駆動するためのＤＣモータであり、螺旋回転軸１０７の軸体１０７ａの一端部（下端部）に取り付けられている。なお、螺旋回転軸１０７は、軸体１０７ａの他端部（上端部）がボール抽選部６よりも上方であるように形成されている。
【００３３】
ボールは、上昇レール１０６及び螺旋回転軸１０７の間に配置され、螺旋回転軸１０７が回転駆動されることによって、螺旋部１０７ｂが回転しながら、上昇して移動する。
【００３４】
ボール搬送レール１０４は、ボールリフター１０３によって引き上げられたボールをボール抽選部６に搬送するためのものであり、その一端部がボールリフター１０３の他端部（螺旋回転軸１０７の軸体１０７ａの他端部）に接続されるとともに、その他端部がボール抽選部６に接続されている。また、ボール搬送レール１０４は、略前後方向に沿って延在するように設けられ、その一端部からその他端部に向かうにつれて下方に傾斜するようになっている。
【００３５】
第１ボール搬送手段１１は、ボール抽選部６の貫通孔６１から落下したボールをボール収納部７に搬送するためのものであり、その構造については後述する。
【００３６】
一対のメダル投入部１２は、メダルをプッシャ台４に投入するためのものであり、操作パネル２１に配置されている。また、一対のメダル投入部１２は、略左右方向に沿って延在するように設けられたメダル案内溝１２１と、メダル案内溝１２１の一端部に設けられたメダル投入口１２２とを備えている。メダル投入口１２２には、投入されたメダルを検出するためのメダル投入センサ（図示しない）が設けられている。なお、このメダル投入センサは、例えば、光学センサである。
【００３７】
メダル払出口１３は、落下口９に落下したメダルを払い出すためのものである。また、複数の車輪１４は、メダルゲーム機１が移動しやすくなるように、ケース２の底部に取り付けられるものである。
【００３８】
（第１ボール搬送手段の構造）
つぎに、第１ボール搬送手段１１について、図２から図５を参照して詳細に説明する。
図３は、第１ボール搬送手段１１を示す斜視図、（ａ）回転アーム部１１３の他端部１１３ｂが収納位置に回転されるときの状態であり、（ｂ）回転アーム部１１３の他端部１１３ｂが抽選位置に回転されるときの状態である。図４は、第１ボール搬送手段１１を示す正面図、（ａ）回転アーム部１１３の他端部１１３ｂが収納位置に回転されるときの状態であり、（ｂ）回転アーム部１１３の他端部１１３ｂが抽選位置に回転されるときの状態である。図５は、第１ボール搬送手段１１を示す側面図、（ａ）回転アーム部１１３の他端部１１３ｂが収納位置に回転されるときの状態であり、（ｂ）回転アーム部１１３の他端部１１３ｂが抽選位置に回転されるときの状態である。
【００３９】
図２から図５に示すように、第１ボール搬送手段１１は、ベース部１１１と、回転用モータ１１２、回転アーム部１１３、回転サポート部１１４、第１位置検出センサ１１５、及び第２位置検出センサ１１６を備えている。
【００４０】
ベース部１１１は、表示部５よりも一方側（右側）に設けられ、回転用モータ１１２、回転アーム部１１３、回転サポート部１１４、及び第２位置検出センサ１１６が取り付けられるためのものであり、略鉛直方向に沿って延在するように設けられる第１ベース部１１１ａと、第１ベース部１１１ａの一端部（上端部）から前後方向に延設される第２ベース部１１１ｂとを有している。
【００４１】
なお、第１ベース部１１１ａの他端部（下端部）には、後述する、回転アーム部１１３の他端部１１３ｂが収納位置に回転されたことを検出する第２位置検出センサ１１６が設けられている。この第２位置検出センサ１１６は、例えば、光学センサによって構成されている。
【００４２】
回転用モータ１１２は、回転アーム部１１３を回転駆動するためのＤＣモータであり、ボール抽選部６よりも外側（右側）に位置するようにボール抽選部６よりも下方に配置されている。また、回転用モータ１１２は、第２ベース部１１１ｂの先端部に取り付けられたモータ本体１１２ａと、略前後方向（表示部５の延在方向に略直交する方向）に沿って延在する回転軸１１２ｂとを有している。
【００４３】
モータ本体１１２ａの第１ベース部１１１ａに対向する側には、後述する、回転アーム部１１３の他端部１１３ｂが抽選位置に回転されたことを検出する第１位置検出センサ１１５が設けられている。この第１位置検出センサ１１５は、第２位置検出センサ１１６と同様に、例えば、光学センサによって構成されている。回転軸１１２ｂは、略前後方向に沿ってモータ本体１１２ａ及び第１ベース部１１１ａとの間に、回転可能に設けられている。
【００４４】
回転アーム部１１３は、一端部１１３ａが回転軸１１２ｂにヒンジ接合されるとともに、他端部１１３ｂが、回転用モータ１１２の回転駆動によって、表示部５と干渉しない収納位置と貫通孔６１の直下に位置する抽選位置との間に回転可能に設けられるものである。また、回転アーム部１１３には、その延在方向に沿って、所定の間隔を空けるように複数の透孔１１３ｅが形成されているので、第１ボール搬送手段１１の軽量化を図ることができる。
【００４５】
回転アーム部１１３の一端部１１３ａのモータ本体１１２ａに対向する側には、回転アーム部１１３の他端部１１３ｂが収納位置に回転されるとき、第１位置検出センサ１１５と対応する第１遮光板１１３ｃが設けられている。回転アーム部１１３の第１ベース部１１１ａに対向する側には、一端部１１３ａ及び他端部１１３ｂの間にある中央位置において、回転アーム部１１３の他端部１１３ｂが収納位置に回転されるとき、第２位置検出センサ１１６と対応する第２遮光板１１３ｄが設けられている。回転アーム部１１３の他端部１１３ｂには、ボール抽選部６の貫通孔６１から落下したボールをキャッチするためのキャッチャ部１１７が形成されている。
【００４６】
回転アーム部１１３は、その他端部１１３ｂが回転用モータ１１２の回転駆動によって収納位置に回転されるとき（非ボール抽選時）、略鉛直方向に沿って延在するように設けられ、その他端部１１３ｂが回転用モータ１１２の回転駆動によって抽選位置に回転されるとき（ボール抽選時）、略鉛直方向に直交する略水平方向（略左右方向）に沿って延在するように設けられている。
【００４７】
そして、回転アーム部１１３の他端部１１３ｂが回転用モータ１１２の回転駆動によって抽選位置から収納位置へ回転する途中、キャッチャ部１１７によってキャッチされたボールが自らボール収納部７に落下することによって、ボール抽選部６からボール収納部７へのボール搬送が実現される。
【００４８】
回転サポート部１１４は、回転アーム部１１３の回転をサポートするためのものであり、軸線方向に沿って収縮可能なシリンダからなり、軸線方向に沿って延在するように設けられる筒部１１４ａと、筒部１１４ａ内に挿入されるピストン部１１４ｂとを有している。また、回転サポート部１１４は、その筒部１１４ａが回転アーム部１１３の一端部１１３ａにヒンジ接合されるとともに、そのピストン部１１４ｂが第１ベース部１１１ａにヒンジ接合されるように設けられている。
【００４９】
さらに、回転サポート部１１４は、側面視において、回転アーム部１１３と第１ベース部１１１ａとの間に設けられている。そして、回転アーム部１１３の他端部１１３ｂが収納位置に回転されるとき、回転サポート部１１４が、正面視において、回転アーム部１１３と重なるように設けられている。
【００５０】
なお、回転アーム部１１３の他端部１１３ｂが回転用モータ１１２の回転駆動によって収納位置に回転されるとき、回転サポート部１１４は、軸線方向における寸法が最も小さく形成されている。この状態では、ピストン部１１４ｂが最も筒部１１４ａに挿入されている。
【００５１】
一方、回転アーム部１１３の他端部１１３ｂが回転用モータ１１２の回転駆動によって抽選位置に回転されるとき、回転サポート部１１４は、軸線方向における寸法が最も大きく形成されている。この状態では、ピストン部１１４ｂが最も筒部１１４ａから抜出されている。
【００５２】
（実施形態の効果）
上記のように構成される本実施形態に係るメダルゲーム機１は、メダルをプッシャテーブル４２が設けられるプッシャ台４に投入することによって、プッシャ台４に配置されるメダル又はボールを落下口９に落下させるように移動させるものであって、プッシャ台４の後方に立設され、プレイ進行に応じた演出を表示させる表示部５と、表示部５の手前に設けられ、その底部にボールが貫通可能な貫通孔６１が形成されるボール抽選部６と、表示部５の下方に設けられるボール収納部７と、ボール抽選部６の貫通孔６１から落下したボールをボール収納部７に搬送する第１ボール搬送手段１１とを備え、第１ボール搬送手段１１は、表示部５よりも一方側に設けられ、表示部５の延在方向に略直交する方向に沿って延在する回転軸１１２ｂを有する回転用モータ１１２と、一端部１１３ａが回転軸１１２ｂにヒンジ接合されるとともに、他端部１１３ｂが表示部５と干渉しない収納位置と貫通孔６１の直下に位置する抽選位置との間に回転可能に設けられる回転アーム部１１３とを有する。これにより、表示部５が、ボール抽選時のみに第１ボール搬送手段１１の回転アーム部１１３によって遮られるものの、非ボール抽選時に第１ボール搬送手段１１の回転アーム部１１３によって遮られることなく、インパクトのある大画面を表示できるメダルゲーム機１を提供することができる。
【００５３】
また、本実施形態に係るメダルゲーム機１において、第１ボール搬送手段１１は、表示部５よりも一方側に設けられるベース部１１１と、軸線方向に沿って収縮可能なシリンダからなり、シリンダの筒部１１４ａが回転アーム部１１３の一端部１１３ａにヒンジ接合されるとともにシリンダのピストン部１１４ｂがベース部１１１にヒンジ接合される回転サポート部１１４とを有する。これにより、回転サポート部１１４は、回転用モータ１１２の回転駆動をサポートするので、回転駆動力の小さいものを回転用モータ１１２として用いることができる。
【００５４】
さらに、本実施形態に係るメダルゲーム機１において、回転サポート部１１４は、回転アーム部１１３とベース部１１１との間に設けられ、回転アーム部１１３の他端部１１３ｂが収納位置に回転されるとき、回転サポート部１１４が、正面視において、回転アーム部１１３と重なるように設けられる。これにより、回転アーム部１１３の他端部１１３ｂが収納位置に回転されるとき、回転サポート部１１４が、回転アーム部１１３によって、遮られることで、正面から視認できないようになっているので、第１ボール搬送手段１１の全体の見栄えを良好にすることができる。
【００５５】
（変形例）
つぎに、メダルゲーム機１の変形例について、図６を参照して詳細に説明する。
図６は、並列された複数台のメダルゲーム機１からなるメダルゲーム機ユニットを示す斜視図である。
【００５６】
本実施形態では、第１ボール搬送手段１１は、ベース部１１１を備えているが、これに限定されるものではなく、例えば、ベース部１１１を備えてもよく、この場合、回転用モータ１１２は、ベース部１１１を介することなく、ダイレクトに表示部５よりも一方側に取り付けられている。
【００５７】
また、本実施形態では、第１ボール搬送手段１１は、回転サポート部１１４を備えているが、これに限定されるものではなく、例えば、回転サポート部１１４を備えなくてもよく、この場合、回転サポート部１１４を備えるものに比べ、回転駆動力が大きい回転用モータ１１２が求められることになっている。
【００５８】
さらに、本実施形態では、メダルゲーム機ユニットは、一台のメダルゲーム機１からなっているが、これに限定されるものではなく、例えば、図６に示すように、左右方向に沿って並列された複数台（例えば、２台）のメダルゲーム機１からなってもよい。この場合、隣接するメダルゲーム機１は、両メダルゲーム機１の間に配置される１つの第１ボール搬送手段１１を併用することになっており、第１ボール搬送手段１１の回転アーム部１１３は、時計回り及び反時計回りの両方に回転可能に設けられている。
【００５９】
以上、本発明を、実施形態を用いて説明したが、本発明の技術的範囲は上記の実施形態に記載の発明の範囲には限定されないことは言うまでもなく、上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００６０】
１              メダルゲーム機
２            ケース
２１        操作パネル
３            ウィンドウ
４            プッシャ台
４１        固定テーブル
４２        プッシャテーブル
４２１    載置面
４２２    傾斜面
４２３    チャッカ
５            表示部
６            ボール抽選部
６１        貫通孔
７            ボール収納部
８            ボール振分装置
８１        ガイド部
８１１    ガイド溝
８１２    ガイドレール
８２        ボール排出検出部
９            落下口
１０          第２ボール搬送手段
１０１      ボールリターンカバー
１０２      ボールリターンレール
１０３      ボールリフター
１０４      ボール搬送レール
１０５      ボール獲得検出部
１０６      上昇レール
１０７      螺旋回転軸
１０７ａ    軸体
１０７ｂ    螺旋部
１０８      上昇駆動モータ
１１          第１ボール搬送手段
１１１      ベース部
１１１ａ    第１ベース部
１１１ｂ    第２ベース部
１１２      回転用モータ
１１２ａ    モータ本体
１１２ｂ    回転軸
１１３      回転アーム部
１１３ａ    一端部（回転アーム部）
１１３ｂ    他端部（回転アーム部）
１１３ｃ    第１遮光板
１１３ｄ    第２遮光板
１１３ｅ    透孔
１１４      回転サポート部
１１４ａ    筒部
１１４ｂ    ピストン部
１１５      第１位置検出センサ
１１６      第２位置検出センサ
１１７      キャッチャ部
１２          メダル投入部
１２１      メダル案内溝
１２２      メダル投入口
１３          メダル払出口
１４          車輪
【図１】
2019176918.tif 000003
【図２】
2019176918.tif 000004
【図３】
2019176918.tif 000005
【図４】
2019176918.tif 000006
【図５】
2019176918.tif 000007
【図６】
2019176918.tif 000008